(57)【要約】【課題】  医療装置本体が回転されながら撮像を行う場合、より精度良く回転補正ができ、観察し易い画像が得られる医療システムを提供する。【解決手段】  体外の処理装置６の画像取得回路２６は、磁界発生装置９による回転磁界で回転するマグネット１６を内蔵し、体内に挿入されるカプセル本体３に対して、撮像要求の信号を送り、撮像素子１４により撮像された画像は、信号処理回路２０で画像圧縮処理された後、無線で送信される。画像取得回路２６は、撮像要求と同期してタイミング信号を発生し、そのタイミング信号に基づいて磁界制御回路２７から撮像タイミングの時刻の回転磁界の回転角度情報を発生させ、その回転角度情報を利用して無線で送信された画像データに対して画像回転処理を行い、所定角度の方向に揃えた画像を表示する。【選択図】  図２
2006149668.tif 000002
【特許請求の範囲】
【請求項１】
体腔内に挿入される挿入部を有する医療装置本体と、
前記医療装置本体を挿入軸周りに回転させる医療装置用回転装置と、
前記医療装置本体に設けられ、前記医療装置本体の回転運動により推力を発生する推力発生構造部と、
前記推力発生構造部が設けられた前記医療装置本体の端部側に設けられた撮像装置と、  前記撮像装置で取得された画像データを取得する画像取得装置と、
前記撮像装置が撮像を行うタイミングを検出する撮像タイミング検出装置と、
前記撮像タイミング検出装置の出力を受け前記医療装置用回転装置の回転角の情報を取得する回転角取得装置と、
前記回転角取得装置で取得した回転角の情報に基づき、前記撮像装置で撮像し、前記画像取得装置で受けた画像を回転させる処理を行う処理装置と、
を有することを特徴とする医療システム。
【請求項２】
体外に配置された回転磁界を発生する磁界発生装置と、
体腔内に挿入される挿入部を有する医療装置本体と、
前記医療装置本体に設けられ、前記推力発生構造部の推力発生方向と略直交する方向に磁極方向を向けて配置され、前記磁界発生装置の発生する回転磁界と作用し前記医療装置本体を回転させるトルクを発生する磁石と、
前記医療装置本体に設けられ、前記医療装置本体の回転運動により推力を発生する推力発生構造部と、
前記推力発生構造部と一体に取り付けられ前記医療装置本体の端部に設けられた撮像装置と、
前記磁界発生装置を制御する体外に設けらた磁界制御装置と、
前記撮像装置で取得された画像データを取得する体外に設けられた画像取得装置と、
前記撮像装置が撮像を行うタイミングを検出する撮像タイミング検出装置と、
前記撮像タイミング検出装置の出力を受け、前記磁界発生装置で発生した回転磁界の回転角の情報を取得する回転角取得装置と、
前記回転角取得装置で取得した回転角の情報に基づき、前記撮像装置で撮像し、前記画像取得装置で受けた画像を回転させる処理を行う処理装置と、
を有することを特徴とする医療システム。
【請求項３】
前記画像取得装置は、前記撮像装置に撮像要求信号を送信すると共に、前記撮像タイミング検出装置へ撮像タイミング信号を送信し、
前記撮像タイミング検出装置は、前記回転角取得装置に回転角取得要求信号を送信し、前記撮像装置が撮像要求信号を受け撮像を行い、前記回転角取得装置が回転角取得要求信号を受け回転角の情報を取得することで、前記撮像装置が撮像を行ったときの医療装置用回転装置の回転角の情報を取得することを特徴とする請求項１に記載の医療システム。
【請求項４】
前記医療装置本体は、撮像タイミングコントローラを有し、
前記撮像装置は、前記撮像タイミングコントローラの信号を受け、撮像を行うと共に、前記画像取得装置に画像データを送信し、
前記撮像タイミング検出装置は、前記画像データの送信開始を検出することを特徴とする請求項１に記載の医療システム。
【請求項５】
前記処理装置で回転処理した画像を表示する表示装置を設けたことを特徴とする請求項１から請求項４のいずれかに記載の医療システム。
【発明の詳細な説明】
【技術分野】
【０００１】
本発明は、体腔内で医療装置本体を回転して推進させる医療システムに関する。
【背景技術】
【０００２】
体腔内に挿入される医療装置を回転させることにより、推進力を発生させる等して体腔内を検査する各種の医療装置が提案されている。  
例えば、特開２００３−２９９６１２号公報には、カプセル内視鏡を回転磁界により回転させることにより、管腔内を誘導させるカプセル内視鏡システムが開示されている。    この従来例では、カプセル内視鏡により撮像して得られた画像データを体外の画像処理装置に送信し、画像処理装置は受信した画像データと、この受信した画像データと関連付けて回転磁界のデータとを関連付けてメモリ等に記憶する。
【０００３】
そして、回転磁界のデータを用いて画像の回転を補正する画像処理を行うことにより、回転しない状態で画像を表示する構成が開示されている。
【特許文献１】特開２００３−２９９６１２号公報
【発明の開示】
【発明が解決しようとする課題】
【０００４】
しかしながら、上記従来例では、例えば画像データを体外の画像処理装置で取り込んだ際に、回転磁界の情報と関連付けるような構成に対しては、より精度良く回転補正を行う余地がある。  
つまり、撮像を行うタイミングで、回転状態を検出する方がより精度良く回転補正を行えるが、従来例ではその構成が開示されていない。
【０００５】
（発明の目的）
本発明は、上述した点に鑑みてなされたもので、医療装置本体が回転されながら撮像を行う場合、より精度良く回転補正ができ、観察し易い画像が得られる医療システムを提供することを目的とする。
【課題を解決するための手段】
【０００６】
本発明の医療システムは、体腔内に挿入される挿入部を有する医療装置本体と、
前記医療装置本体を挿入軸周りに回転させる医療装置用回転装置と、
前記医療装置本体に設けられ、前記医療装置本体の回転運動により推力を発生する推力発生構造部と、
前記推力発生構造部が設けられた前記医療装置本体の端部側に設けられた撮像装置と、  前記撮像装置で取得された画像データを取得する画像取得装置と、
前記撮像装置が撮像を行うタイミングを検出する撮像タイミング検出装置と、
前記撮像タイミング検出装置の出力を受け前記医療装置用回転装置の回転角の情報を取得する回転角取得装置と、
前記回転角取得装置で取得した回転角の情報に基づき、前記撮像装置で撮像し、前記画像取得装置で受けた画像を回転させる処理を行う処理装置と、
を有することを特徴とする。  
上記構成により、回転される医療装置本体に設けられ撮像装置が撮像を行うタイミングに、医療装置用回転装置の回転角の情報するようにしているので、撮像装置が実際に撮像を行ったタイミングの回転角の情報でき、従ってその回転角の情報により、精度良く回転補正を行うことができるようにしている。
【発明の効果】
【０００７】
本発明によれば、実際に撮像を行うタイミングにおける回転角の情報を用いることにより、精度良く回転補正ができ、観察し易い画像が得られる。
【発明を実施するための最良の形態】
【０００８】
以下、図面を参照して本発明の実施例を説明する。  
【実施例１】
【０００９】
図１から図１０は本発明の実施例１に係り、図１は本発明の実施例１のカプセル型医療システムの全体構成を示し、図２は図１におけるカプセル型医療システムの各部の内部構成を示し、図３はカプセル本体の側面及び正面図を示し、図４は操作入力装置の概略の構成及び変形例等を示し、図５は回転磁界の法線ベクトルを示す座標系と、ジョイスティックを傾動操作した場合のカプセル本体の推進方向等を示す。  
また、図６は変形例におけるスティックとその傾動操作によるカプセル本体の推進方向を示し、図７は本実施例の動作をタイミングチャートで示し、図８は本実施例の動作をフローチャートで示し、図９は第１変形例の動作を示し、図１０は第２変形例のカプセル型医療システムの構成を示す。
【００１０】
図１及び図２に示すように、本発明の実施例１のカプセル型医療システム１は、図示しない患者の体腔内に口部から挿入され、体腔内を撮像するカプセル型内視鏡として機能するカプセル型医療装置本体３（以下、カプセル本体と略記）と、患者の周囲、つまり体外に配置され、カプセル本体３に回転磁界を印加する回転磁界発生装置４及びこの回転磁界発生装置４に回転磁界を発生させる駆動電流の供給制御を行う磁界発生制御装置（或いは電源制御装置）５とからなる磁界発生装置９とを有する。  
本実施例では患者の体腔内に口部から挿入されるカプセル型医療装置を例としているが、患者の体腔内に肛門から挿入されるカプセル型医療装置であっても良い。
【００１１】
また、カプセル型医療システム１は、患者の体外に配置され、カプセル本体３と無線通信を行う処理を行うと共に、磁界発生制御装置５を制御して、カプセル本体３に印加される回転磁界の方向や大きさ等を制御する処理を行う処理装置６と、この処理装置６に接続され、カプセル本体３により撮像した画像等を表示する表示装置７と、処理装置６に接続され、術者などの操作者が操作することにより、操作に対応した指示信号を指示入力する操作入力装置８としての、例えば磁界方向の指示信号を発生する方向入力装置８ａ、操作に対応した回転周波数の回転磁界の指示信号を発生する速度入力装置８ｂ、操作に対応して偏芯した回転磁界の発生など、設定された機能に対応した指示信号を発生する機能ボタン８ｃとを有する。
【００１２】
図３に示すように、カプセル本体３は、カプセル形状で、体腔内に挿入される挿入部を形成する外装容器１１の外周面に、回転により、体腔内壁（管腔内壁）に接触して推力を発生する推力発生構造部となる螺旋状突起（或いはスクリュウ部）１２が設けてある。また、この外装容器１１で密閉された内部には撮像手段を構成する対物光学系１３及びその結像位置に配置された撮像素子１４と、撮像を行うために照明を行う照明素子１５（図２参照）等の他に、このカプセル本体３を磁気的に回転させるためのマグネット１６が収納されている。  
図３に示すように対物光学系１３は、円筒状のカプセル本体３の中心軸Ｃ上にその光軸が一致するようにして、例えば外装容器１１における半球状に透明にされた先端カバー１１ａの内側に配置されており、先端カバー１１ａの中央部分が図３（Ｂ）に示すように観察窓１７となる。なお、図３では示していないが、照明素子１５は対物光学系１３の周囲に配置されている。
【００１３】
従って、この場合には、対物光学系１３視野方向は対物光学系１３の光軸方向、つまりカプセル本体３の円筒状の中心軸Ｃに沿った方向となる。  
また、カプセル本体３内の長手方向の中央付近に配置されたマグネット１６は、図３に示すように中心軸Ｃと直交する方向にＮ極及びＳ極が配置されている。この場合、マグネット１６の中心は、このカプセル本体３の重心位置に一致するように配置され、外部から磁界を印加した場合にマグネット１６に作用する磁気的な力の中心がカプセル本体３の重心位置となり、磁気的にカプセル本体３を円滑に推進させやすい構成にしている。  
また図３（Ｂ）に示すように、撮像素子１４の特定の配置方向に一致するように配置されている。  
つまり、撮像素子１４により撮像された画像が表示される場合の上方向が、マグネット１６のＳ極からＮ極に向かう方向に設定されている。
【００１４】
そして、回転磁界発生装置４により回転磁界をカプセル本体３に印加することにより、マグネット１６を磁気的に回転させ、このマグネット１６を内部に固定したカプセル本体３をマグネット１６と共に回転させ、その際カプセル本体３の外周面に設けた螺旋状突起１２は体腔内壁に接触して回転され、カプセル本体３を推進させることができるようにしている。  
また、このように、外部磁界によりマグネット１６を内蔵したカプセル本体３を制御するようにした場合には、外部磁界の方向からカプセル本体３により撮像された画像の上方向がどの方向であるかを知ることができるようにしている。
【００１５】
カプセル本体３内には、上述した対物光学系１３、撮像素子１４、マグネット１６の他に図２に示すように、撮像素子１４で撮像された信号に対してデジタル信号に変換して圧縮処理を行う信号処理回路２０と、信号処理回路２０により生成された圧縮処理されたデジタルの画像データを一時記憶するメモリ２１と、メモリ２１から読み出した画像データを高周波信号で変調して無線送信する信号に変換したり、処理装置６から送信される制御信号を復調等する無線回路２２と、照明素子１５及び撮像素子１４の駆動制御や信号処理回路２０等、カプセル本体３内の各部を制御するカプセル制御回路２３と、信号処理回路２０等のカプセル本体３内部の電気系に動作用の電源を供給する電池２４とが収納されている。  
また、このカプセル本体３と無線通信を行う処理装置６は、前記無線回路２２と双方向の無線通信を行う無線回路２５と、この無線回路２５と接続され、カプセル本体３に対して画像取得の制御信号を送る処理やカプセル本体３から送られた画像データに対する信号処理を行うと共に、画像回転処理等を行う画像取得回路２６と、操作入力装置８からの指示入力に応じて磁界発生制御装置５等を制御する磁界制御回路２７とを有する。
【００１６】
また、この処理装置６は、前記磁界発生制御装置５を介して回転磁界発生装置４により発生される回転磁界の状態、より具体的には回転磁界の法線ベクトルの向き（回転磁界の向きと略記）及びその回転磁界を形成する磁界の向きの情報を記憶する記憶回路２８と、機能ボタン８ｃ等による機能設定等を行う設定回路２９とを有する。  
また、この処理装置６は、画像取得回路２６と接続され、カプセル本体３の撮像素子１４による撮像タイミングの検出を行う撮像タイミング検出回路３０と、この撮像タイミング検出回路３０による撮像タイミングの時に、磁界制御回路２７による磁界回転角の情報を取得する回転角度取得回路３１と、を有し、この回転角度取得回路３１は、取得した磁界回転角の情報を、例えば撮像タイミング検出回路３０を介して画像取得回路２６に出力する。
【００１７】
そして、画像取得回路２６は、無線回路２５を経て取り込んだ画像データに対して、圧縮の解凍（画像伸長）処理の他に、回転角度取得回路３１から磁界回転角の情報を得て、（カプセル本体３の撮像素子１４により）回転して撮像された画像の回転補正を行う。    画像取得回路２６は、撮像素子１４により撮像され、無線回路２２、２５を経て取り込まれた画像が、所定の回転角の方向の画像となるように画像回転処理する。そして、カプセル本体３に内蔵された撮像素子１４が回転しながら撮像した画像に対して、回転が行われなかった状態の所定方向の画像にして表示装置７に出力し、その所定方向の画像が表示されるようにする。  
また、磁界制御回路２７には、操作入力装置８を構成する方向入力装置８ａ、速度入力装置８ｂ、機能ボタン８ｃから操作に対応した指示信号が入力され、磁界制御回路２７は、指示信号に対応した制御動作を行う。
【００１８】
また、磁界制御回路２７は、記憶回路２８と接続され、記憶回路２８に磁界発生制御装置５を介して回転磁界発生装置４により発生する回転磁界の向き及び磁界の向きの情報を常時記憶するようにしている。そして、その後に、回転磁界の向きや磁界の向きを変化させる操作が行われた場合にも、回転磁界の向きや磁界の向きを連続的に変化させ、円滑に変化させることができるようにしている。なお、記憶回路２８を、磁界制御回路２７内部に設けるようにしても良い。  
また、磁界制御回路２７と接続された磁界発生制御装置５は、交流電流を発生すると共に、その周波数や位相を制御する３個の交流電流発生＆制御回路からなる交流電流発生＆制御部３３と、各交流電流をそれぞれ増幅する３個のドライバからなるドライバ部３４とを有し、３個のドライバの出力電流は回転磁界発生装置４を構成する３個の電磁石３５ａ、３５ｂ、３５ｃにそれぞれ供給される。
【００１９】
この場合、電磁石３５ａ、３５ｂ、３５ｃは、図１に示すように直交する３軸方向の磁界を発生するように配置されている。  
そして、図４（Ａ）に示す操作入力装置８を構成する方向入力装置８ａを操作することにより、磁界方向の指示信号を発生したり、速度入力装置８ｂを操作することにより操作に対応した回転周波数の回転磁界の指示信号を発生したり、機能ボタン８ｃを操作することにより偏芯した回転磁界を発生したりすることができるようにしている。  
具体的には、操作入力装置８は操作箱の上面から上方に突出するジョイスティックＳａで形成された方向入力装置８ａと、スティックＳｂにより形成された速度入力装置８ｂと、例えば２つのボタンＴａ，Ｔｂで形成された機能ボタン８ｃとから構成される。
【００２０】
そして、図５（Ａ）に示すように直交する座標系を設定して、回転磁界の回転面の法線ベクトルＮの方向を表した場合、この法線ベクトルＮの方向がカプセル本体３の推進方向となり、この方向をジョイスティックＳａの傾動操作で設定できるようにしている。  
この場合、図５（Ｂ）に示すように、ジョイスティックＳａを前側、後側、左側、右側に向けて傾動することにより、下側、上側、左側、右側に推進方向を変更できるようにしている。この場合の傾動する量が角度変化のスピードに相当する。尚、中間方向（例えば左下方向や右上方向）に傾ければ、当然その方向に推進方向を変更できる。  
また、図５（Ｃ）に示すように、スティックＳｂを前側、後側に傾動することにより、それぞれ前側及び後方側に回転方向を設定でき、かつ傾ける角度で回転周波数を変化できるようにしている。
【００２１】
また、ボタンＴａは回転磁界の方向を偏芯させる（つまり、回転磁界の方向をある１方向から偏芯角度だけ偏芯させるようにして回転磁界の方向が円錐状に変化する）ように発生させる回転磁界の偏芯開始の指示信号を発生し、この回転磁界の偏芯によりカプセル本体３に内蔵されたマグネット１６は（回転する独楽の心棒がぶれるように回転する）いわゆるジグリング或いは才差運動を開始することになる。  
従って、ボタンＴａはジグリングの開始の指示信号として機能し、ボタンＴｂは回転磁界の偏芯停止の指示信号、従ってジグリングを停止させる指示信号を発生する。なお、磁界強度やジグリングを指示する場合のジグリングの角度（後述する角度φ）の値やそのジグリングを行う場合の周波数の設定は、設定回路２９の機能により、予め設定できるようにしている。
【００２２】
また、操作入力装置８として図４（Ａ）に示すものの変形例として図４（Ｂ）に示すようにジョイスティックＳｃの頂部側に傾動可能で、倒す量により回転磁界の回転周波数を変化させることによりカプセル本体３の回転速度を変化させるレバーＬａと、回転磁界の回転方向をＯＮ／ＯＦＦで指示するボタンＴｃと、回転磁界の偏芯機能としての機能ボタンＴｄ（１つの場合にはＯＦＦからＯＮと、ＯＮの場合にはＯＮからＯＦＦの機能を持つ）を設けるようにしても良い。  
このようにすると、片手で操作することができ、図４（Ａ）の両手で操作することが必要になる場合よりも操作性を向上することができる。  
また、図４（Ａ）において、例えばスティックＳｂの代わりに図４（Ｃ）に示すフットスイッチＦを採用し、踏み込む量で回転周波数を変更するようにしても良い。
【００２３】
図４（Ｂ）に示すジョイスティックＳｃを採用した場合におけるその操作機能等の説明図を図６で示している。図６（Ａ）は図４（Ｂ）における機能ボタンＴｄを除いた構成例を示し、図６（Ｂ）はジョイスティックＳｃの傾動操作による推進方向を変化する機能を示し、図６（Ｃ）はカプセル本体３に対して実際に推進方向等を変更する動作説明図を示す。  
この場合には、図６（Ａ）に示すジョイスティックＳｃの傾動操作により、回転磁界の発生方向を変更して、カプセル本体３の推進方向を変更する機能を図６（Ｂ）に示す。本実施の形態では、図６（Ｂ）（或いは図５（Ｂ））に示すようにジョイスティックＳｃを傾動する操作方向にカプセル本体３を推進させることができるように回転磁界の発生方向を制御するようにしている。
【００２４】
また、レバーＬａを倒す量で回転周波数を変化させ、ボタンＴｃをＯｆｆの状態では前進させるような回転磁界を、Ｏｎの状態では後退させるような（前進とは逆回転の）回転磁界を発生させるように制御する。  
図６（Ｂ）に示すように推進方向を円滑に変更するためには、カプセル本体３の状態或いは回転磁界の状態を常時把握していることが必要となる。本実施の形態では、回転磁界の状態（具体的には、回転磁界の向き及び磁界の向き）を記憶回路２８に常時記憶するようにしている。  
具体的には、図２における第１の操作入力手段である操作入力装置８における操作の指示信号は、磁界制御回路２７に入力され、この磁界制御回路２７は、指示信号に対応した回転磁界を発生させる制御信号を磁界発生制御装置５に出力すると共に、その回転磁界の向き及び磁界の向きの情報を記憶回路２８に記憶する。
【００２５】
従って、記憶回路２８には、回転磁界発生装置４により発生される回転磁界及びその回転磁界を形成する周期的に変化する磁界の向きの情報が常時記憶されるようになっている。  
なお、記憶回路２８は、磁界制御回路２７からの回転磁界の向き及び磁界の向きの制御信号に対応する情報を記憶する場合に限定されるものでなく、磁界制御回路２７から磁界発生制御装置５に出力された制御信号により、磁界発生制御装置５における交流電流発生＆制御部３３及びドライバ部３４を経て回転磁界発生装置４に実際に出力される回転磁界の向き及び磁界の向きを決定する情報を磁界発生制御装置５側から磁界制御回路２７に送り、記憶回路２８に記憶するようにしても良い。
【００２６】
また、本実施例では、回転磁界の印加開始時及び印加停止時や回転磁界の向き（換言するとカプセル本体の進行方向の向き）等を変更する場合には、カプセル本体３に急激な力が作用することなく円滑に作用するように回転磁界を連続的に変化させるように制御するようにしている。  
このように制御することにより、回転磁界の印加開始時及び回転磁界の印加停止時においてもカプセル本体３の動作を円滑に維持できるようにしている。  
本実施例では、医療装置本体としてのカプセル本体３を回転磁界を使用して誘導する際に、現在のカプセル本体３の進行方向を決定する回転磁界の状態の情報を記憶回路２８に記憶し、その進行方向を変更する場合には、記憶回路２８に記憶した現在の情報を参照して次の進行方向に進行させるように回転磁界を連続的に変化させるように制御することで、医療装置本体の誘導操作を自然な操作を行うことができる様にしている。
【００２７】
また、記憶回路２８に、回転磁界の情報を記憶する場合、その回転磁界の情報を記憶した時間の情報を関連付けて記憶することにより、後述する実施例のように撮像したタイミングを検出した時刻よりも、以前（過去）の回転角度情報が必要になった場合にも、精度良く対応する回転角度情報を得ることができるようにしている。  
また、カプセル本体３が回転駆動されながら体内を推進するため、カプセル本体３によりそのまま撮像された画像は、回転した画像となる。このため、本実施例では回転した画像に対して画像回転処理を行い、常時、回転が行われなかったのに等しい所定方向の画像に補正して表示装置７にて表示するようにしている。  
本実施例では、体外装置を構成する画像取得回路２６は、カプセル本体３に対して撮像させる指示信号としての撮像要求の信号を送信し、この撮像要求の信号によりカプセル本体３による撮像を行わせる。
【００２８】
また、この画像取得回路２６は、撮像要求の信号を送信するタイミングにおいて、撮像タイミング検出回路３０に対して、撮像（要求）の送信時のタイミング信号を送り、撮像タイミング検出回路３０は、このタイミング信号を撮像タイミングとして検出する。  
そして、タイミング検出回路３０は、このタイミング信号を受けると、直ちに、回転角度取得回路３１を介して磁界制御回路２７に対して、そのタイミング時における回転磁界によるカプセル本体３を回転させる回転角度情報を出力させるための回転角度情報出力要求の信号を送り、磁界制御回路２７から回転角度情報を出力させる。  
なお、上述したようにカプセル本体３内には、撮像素子１４の所定方向と、その両磁極間の方向が一致するようにマグネット１６が配置されているため、発生される回転磁界の方向にマグネット１６の両磁極の方向が追従することからカプセル本体３の撮像素子１４による撮像方向、つまり撮像された画像の方向を決定することができる。また、所定の方向を基準として、どれだけ回転しているかの回転角度を決定することができる。
【００２９】
そして、回転角度取得回路３１は、磁界制御回路２７から出力される（回転磁界発生装置４による回転磁界によるカプセル本体３を回転させる）回転角度の情報、つまり回転角度情報を取得する。この回転角度取得回路３１は、取得した回転角度情報を保持し、画像取得回路２６がカプセル本体３から画像データを受けた際にその回転角度情報を（撮像タイミング検出回路３０を介して或いは直接）画像取得回路２６に送る。  
そして、画像取得回路２６は、この回転角度情報により、受け取った画像データに対して、所定の回転角度まで画像を回転する画像回転処理を行った後、表示装置７に出力する。このようにして表示装置７には、常時回転しない（所定の回転角度の方向に揃えた）画像を表示し、ユーザは、カプセル本体３が回転して撮像していることを意識することなく回転しない状態で撮像されている如くの（観察し易い）画像を観察することができる構成にしている。  
このような構成による本実施例の作用を説明する。
【００３０】
まず、本実施例による概略の作用を説明する。カプセル本体３により体腔内を検査する場合、患者は、このカプセル本体３を飲み込む。体腔内に挿入されたカプセル本体３は、食道等の体腔内を通過する際に、処理装置６から送信される撮像要求の信号に同期して、照明素子１５で照明し、撮像素子１４により撮像する。撮像素子１４により撮像された画像は、信号処理回路２０により圧縮処理された後、無線回路２２を経て体外の処理装置６に無線で送信される。  
処理装置６は、無線回路２５で受信し、復調した画像データを画像取得回路２６に送る。画像取得回路２６は、その内部などに設けた（メモリ或いはハードディスク等の）画像記憶デバイスに蓄積すると共に、解凍処理、画像回転処理、補間処理を行い、表示装置７には、カプセル本体３により順次撮像された画像を常時、回転しない所定（基準）の回転角度の状態で表示する。
【００３１】
次に図７を参照してカプセル本体３による撮像からその撮像された画像に対して回転補正を行って表示するまでの動作を詳細に説明する。なお、図７における上から下方向が時間の経過を示す。図９、図１１、図１３、図１５等の他のタイミングチャートも同様である。  
図７に示すように、処理装置６における画像取得回路２６は、所定の撮像周期に同期して、撮像要求の信号を無線回路２５を経てカプセル本体３に送信すると共に、そのタイミングで撮像タイミング検出回路３０にタイミング信号を送る。  
カプセル本体３は、撮像要求の信号を無線回路２２を経てカプセル制御回路２３内に取り込む。そして、カプセル制御回路２３は、撮像要求の命令であると判定して、照明素子１５を発光させると共に、撮像素子１４に対して駆動信号を印加して、照明素子１５の発光により照明された部位を撮像した撮像信号を出力させる。
【００３２】
この撮像信号は、信号処理回路２０により信号処理され、Ａ／Ｄ変換された後、さらに圧縮処理され、メモリ２１に格納される。メモリ２１に圧縮されて格納された画像データは、無線回路２２により変調され、電波により画像データの無線送信が行われ、この画像データは、体外の処理装置６の無線回路２５を経て、復調されて画像取得回路２６に取り込まれる（受信される）。  
一方、撮像タイミング検出回路３０は、タイミング信号を受けると、このタイミングを撮像タイミングとして検出し、このタイミングにおける回転磁界の情報を得るために直ちに磁界制御回路２７に対して回転角度情報出力要求の信号を送り、磁界制御回路２７は、この信号が入力されたタイミングにおける回転磁界の回転角度情報を回転角度取得回路３１に出力する。  
なお、図７では、撮像要求の信号を送信してから撮像素子１４が実際に撮像を行う時間までの遅れ時間を考慮して、磁界制御回路２７は、回転角度出力要求の信号の入力タイミングから、前記遅れ時間に相当する時間、後の回転角度情報を出力するようにしている。このため、図７の点線で示すように撮像を行っている時間の中央のタイミングに一致するように磁界制御回路２７から回転角度情報が出力されることになる。
【００３３】
なお、このように撮像要求の信号から実際に撮像を行うまでに遅れ時間が発生する場合、その影響を磁界制御回路２７側で考慮した補正を行う場合に限定されるものでなく、例えば撮像タイミング検出回路３０が、撮像要求のタイミングから上記遅れ時間だけ後に磁界制御回路２７に対して、回転角度情報出力要求の信号を送るようにしても良い。  
また、撮像要求から実際に撮像を行うまでの時間が短い場合には、上記遅れ時間を無視して回転角度情報を発生させるようにしても良い。  
回転角度取得回路３１は、磁界制御回路２７が出力する回転角度情報を保持し、例えば画像取得回路２６がカプセル本体３から送信される画像データの取り込みを終了したタイミングに、この回転角度情報を画像取得回路２６に出力する。
【００３４】
上記画像取得回路２６は、取り込んだ圧縮されている画像データに対して、圧縮画像データの解凍を行い、さらに回転角度情報を参照して、回転して撮像された画像に対して基準の回転角の画像にするための画像回転処理、そして回転に伴って適宜に補間処理を行って、表示装置７により表示が可能な画像を生成し、表示装置７に出力する。  
表示装置７は、画像取得回路２６から出力された画像を表示することにより、回転補正がされて回転の影響が解消された状態で、撮像素子１４により撮像された画像を表示する。例えば、撮像素子１４の上方向が画像表示の際の上方向となるようにして、観察し易い画像が表示される。  
そして、所定の時間が経過すると、画像取得回路２６は、再び撮像要求の信号をカプセル本体３側に送信すると共に、そのタイミングで撮像タイミング検出回路３０にタイミング信号を送り、上述した処理を繰り返す。
【００３５】
なお、ここでは撮像素子１４の上方向をマグネット１６の磁極方向（Ｓ極からＮ極に向かう方向）に一致するように配置し、上方向に表示していたが、この配置関係（角度）は任意でも良い。例えば操作者が、初期設定で撮像素子１４の上方向とマグネット１６の磁極方向のなす角度を操作入力装置８により入力し、上記画像取得回路２６が、回転角度情報を考慮して、初期設定で入力された角度を基準に画像回転処理をするようにしても良い。  
または、カプセル本体３を回転磁界発生装置４の生成する回転磁界により回転させた状態において、操作者が表示画像を確認しつつ、画像の回転量を調整することにより、撮像素子１４の上方向とマグネット１６の磁極方向のなす角度を推定して、その角度を基準とした画像回転処理を画像取得回路２６に行わせるようにしても良い。
【００３６】
図７の処理内容は、図８に示すフローチャートのようになる。  
ステップＳ１において、画像取得回路２６は、撮像要求の信号をカプセル本体３に送信すると共に、タイミング信号を撮像タイミング検出回路３０に出力し、撮像タイミング検出回路３０はこのタイミングを撮像タイミングとして検出する。  
ステップＳ２に示すようにカプセル本体３は、撮像要求の信号を受けて、照明素子１５を発光させ、撮像素子１４により撮像する撮像処理を行う。また、撮像タイミング検出回路３０は、タイミング信号の検出で発生する回転角度情報出力要求の信号を磁界制御回路２７に送ることにより、回転角度取得回路３１は、その信号を送ったタイミング（或いは撮像要求から実際に撮像をするまでの時間遅延に相当するタイミング）で回転角度情報を得る。
【００３７】
ステップＳ３に示すようにカプセル本体３は、撮像処理により、撮像した画像データを送信し、画像取得回路２６は、送信された画像データを取り込む。  
そして、ステップＳ４に示すように画像取得回路２６は、回転角度取得回路３１から送られる回転角度情報を受け取り、取り込んだ画像データに対して、圧縮画像データの解凍、画像回転処理、補間処理を行った後、表示装置７に出力する。  
ステップＳ５に示すように表示装置７は、画像取得回路２６から入力された画像を表示することにより、回転しない状態に回転補正された画像を表示する。  
そして、ステップＳ６に示すように画像取得回路２６は（撮像タイミング検出回路３０のタイマ出力により）所定時間が経過したかの判定を行い、所定時間の経過後にステップＳ１に戻り、再び撮像要求の信号をカプセル本体３側に送信すると共に、そのタイミングで撮像タイミング検出回路３０にタイミング信号を送り、上述した処理を繰り返す。なお、この所定時間は、撮像する周期（フレームレート）に処理の時間を合わせる等に使用するものである。  
このようにして、画像取得回路２６は、撮像素子１４により実際に撮像された画像に対して、その撮像のタイミングに高精度で一致する回転角度情報を用いて、所定の回転角度まで画像回転する画像回転処理を行い、所定の回転角度に揃えた状態で各画像を表示する。
【００３８】
従って、本実施例によれば、回転される撮像素子１４により撮像された画像の場合においても、その撮像素子１４により実質的に撮像されるタイミングを検出し、そのタイミングで、回転磁界の回転角度情報を検出する構成にしているので、簡単な構成で、回転しない状態に精度良く回転補正された画像を生成し、表示装置７によりその画像を表示することができる。  
従って、観察者は、回転を意識することなく、所定の方向に揃った画像を観察することができ、観察し易いと共に、進行方向等を変更しようとする場合にも表示される画像の向きが一定しているので操作し易い。  
また、カプセル本体３側において、画像の圧縮を行う場合においても、圧縮にかかる時間に影響されることなく、撮像するタイミングを検出できるため、従来例における受信したタイミングで画像の回転の補正を行う場合よりも、撮像されたタイミングにおける画像の回転を精度良く補正できる。
【００３９】
また、撮像のタイミングを体外に配置される処理装置６側から無線で送信することで制御できるので、撮像したいと思う部位を重点的に行う等の制御ができる。  
次に本実施例の変形例を図９のタイミングチャートを参照して説明する。本変形例のハードウェアの構成は、図１及び図２と殆ど同様の構成である。異なる点は、画像取得回路２６は、カプセル本体３に対して撮像要求を送信する時には、磁界制御回路２７に対して直接、回転角度情報要求の信号を送り、磁界制御回路２７からそのタイミング（或いは撮像要求から実際に撮像が行われるまでの時間遅延量だけ遅延したタイミング）に出力される回転角度情報を回転角度取得回路３１が保持するように設定している。  
また、本変形例では、画像取得回路２６は、カプセル本体３から送信される画像データの受信が終了したタイミングに、回転角度取得回路３１に対して回転角度情報を要求する回転角度情報要求の信号を送り、回転角度取得回路３１が保持している回転角度情報を受け取る。
【００４０】
そして、画像取得回路２６は、圧縮された画像データに対して解凍処理等を開始する直前に、カプセル本体３に対して撮像要求を送信すると共に、磁界制御回路２７に対して回転角度情報出力要求の信号を送るようにする。  
つまり、実施例１においては、画像取得回路２６は、圧縮された画像データに対して解凍処理等を終了した後に、カプセル本体３に対して撮像要求を送信していたが、本変形例では、画像取得回路２６は、圧縮された画像データに対して解凍処理等を開始する直前に、カプセル本体３に対して撮像要求を送信する。  
このようにすることにより、実施例１の場合よりも、画像取得回路２６が圧縮された画像データに対して解凍処理等を行っている時間に、並行してカプセル本体３側で撮像及び信号処理させることができ、撮像周期の時間間隔を短くすることができるようにしている。
【００４１】
本変形例によれば、より短い撮像周期で撮像ができる、換言すると、撮像のフレームレートを向上できると共に、それぞれ撮像された画像を回転補正して表示する表示周期の時間間隔も短くすることができ、より動画に近い状態の画像を表示できる。その他は、実施例１の場合と同様の効果を有する。  
なお、本実施例（変形例も含む）及び以下の実施例等において、処理装置６内の撮像タイミング検出回路３０と回転角度取得回路３１とを一体化しても良い。
【実施例２】
【００４２】
次に本発明の実施例２を図１０及び図１１を参照して説明する。図１０は本発明の実施例２のカプセル型医療システム１Ｂの構成を示す。  
このカプセル型医療システム１Ｂは、カプセル本体３Ｂと、磁界発生装置９と、処理装置６Ｂと、表示装置７及び操作入力装置８とからなる。  
カプセル本体３Ｂは、図２のカプセル本体３において、撮像素子１４により撮像された撮像信号を、無線回路２２により変調してアナログ信号で送信する構成にしている。つまり、図２におけるＡ／Ｄ変換と画像データの圧縮等を行う信号処理回路２０及びメモリ２１を省いた構成にしている。  
また、カプセル制御回路２３は、タイマ２３ａを内蔵し、カプセル本体３Ｂ側で、所定周期で撮像を行うように照明素子１５及び撮像素子１４を制御する。このカプセル制御回路２３は、撮像素子１４が撮像するタイミングを制御する撮像コントローラの機能を持つ。
【００４３】
また、本実施例では、カプセル本体３Ｂは、撮像した画像を無線回路２２により送信するのみであり、受信する機能を省いた構成になっている。  
また、処理装置６Ｂは、カプセル本体３Ｂから送信される画像を受信し、その場合、画像を受信した先頭部分において撮像タイミングと見なして、タイミング信号を発生し、そのタイミング信号により磁界制御回路２７から回転角度情報を取得する。そして、受信した画像に対して画像回転処理、補間処理を行い、カプセル本体３Ｂから受信した画像の回転補正を行って表示装置７に出力する処理を行う。  
なお、処理装置６Ｂ側は、無線で送信される画像を受け取った時点で撮像タイミングを検出するため、撮像タイミングの検出精度を向上するために、磁界制御回路２７から回転角度情報を出力させる際、無線送信による遅延時間だけ、以前のものを出力させるようにしても良い。
【００４４】
その他の構成は図２の場合と同様の構成である。次に本実施例の動作を図１１のタイミングチャートを参照して説明する。  
本実施例では、カプセル本体３は、一定周期で撮像を行う。そして、撮像素子１４により撮像した画像を無線回路２２により高周波変調して、変調された画像を順次無線で送信する。処理装置６Ｂは、無線回路２５により復調し、復調した画像を順次、画像取得回路２６に送る。画像取得回路２６は、無線回路２５を経て受信（入力）される画像の先頭部分を検出すると、タイミング信号を撮像タイミング検出回路３０に送る。画像の先頭部分を検出する場合、信号の先端を検出し易くするためにマークを付加しても良いし、マークを付加することなく、比較器等で閾値と比較して先端部分を検出するなどしても良い。
【００４５】
撮像タイミング検出回路３０は、そのタイミング信号を受けると、そのタイミング信号を撮像タイミングとして検出し、直ちに磁界制御回路２７に対して回転角度情報出力要求の信号を送る。磁界制御回路２７は、その信号の入力時における回転角度情報を出力し、回転角度取得回路３１は、その回転角度情報を取得する。  
また、画像取得回路２６は、画像受信の終了を検出すると、直ちに回転角度取得回路３１に対して、（回転角度取得回路３１において）保持されている回転角度情報要求の信号を送り、その回転角度情報を取得する。画像受信の終了を検出する場合にも、終了を検出し易くするために上記のようにマークを付加しても良い。  
画像取得回路２６は、この回転角度情報を取得すると、画像回転処理と補間処理を行い表示装置７により表示可能な映像信号生成の処理を行い、その映像信号を表示装置７に出力する。そして、表示装置７には、回転補正がされた画像が表示される。  
画像取得回路２６が映像信号生成の処理を終了後に、カプセル本体３は次の撮像を開始する。そして、上記した処理を繰り返すことになる。
【００４６】
本実施例によれば、カプセル本体３側で自動的に撮像を行い、体外の処理装置６Ｂは、カプセル本体３Ｂから送信される画像を受信し、その際受信した画像の先頭部分を撮像のタイミングとしてそのタイミングでの磁界制御回路２７から回転角度情報を取得して、その回転角度情報を用いて画像回転処理を行うことにより、簡単な構成で回転しない画像を表示することができる。  
また、受信した画像の先頭部分を検出したタイミングが実際に撮像するタイミングから遅れる場合には、その遅れ時間だけ以前の回転角度情報を取得するようにすれば、精度良く回転補正した画像を表示することもできる。
【実施例３】
【００４７】
次に本発明の実施例３を図１２及び図１３を参照して説明する。図１２は本発明の実施例３のカプセル型医療システム１Ｃの構成を示す。  
本実施例は、図９に示すカプセル本体３Ｂの場合と同様にカプセル本体３Ｃは、撮像した画像を送信する動作を行うが、実施例１の場合と同様に信号処理回路２０及びメモリ２１を内蔵し、圧縮した画像データを送信する。  
また、本実施例では、圧縮した画像データを送信した後、設定された時間経過すると、次の撮像動作を開始するようにしている。つまり、処理装置６Ｃ側において、圧縮された画像データの解凍等の処理を行う動作と並行して、カプセル本体３Ｃ側は次の撮像動作を行うようにしている。
【００４８】
また、カプセル制御回路２３は、図９の場合と同様にタイマ２３ａを内蔵している。そして、撮像素子１４により撮像を開始してから圧縮を含む信号処理を行った後、撮像素子１４により撮像を行ったタイミングから所定時間ｔｏ経過後に、画像を送信するようにしている。  
つまり、圧縮の時間が変動した場合においても、撮像素子１４により撮像を開始したタイミング或いは撮像時間における中央のタイミングから常に、所定時間ｔｏ経過後に、画像を送信する。  
また、送信された画像を受信する処理装置６Ｃ側では、画像取得回路２６は、送信された画像の先頭部分を検出すると、磁界制御回路２７に対して回転角度情報出力要求の信号を送る。この場合、画像取得回路２６は、磁界制御回路２７に対して、この信号から所定時間ｔｏだけ、さかのぼった過去のタイミングの回転角度情報を出力させる回転角度情報出力要求の信号を送る。
【００４９】
磁界制御回路２７は、この信号を受け取ったタイミングから所定時間ｔｏだけさかのぼった過去の回転角度情報を記憶回路２８から読み出して出力する。  
そして、画像取得回路２６は、所定時間ｔｏさかのぼった時刻での回転角度情報を用いて画像回転の処理を行う。このため、本実施例においては、磁界制御回路２７に接続された記憶回路２８は、少なくとも所定時間ｔｏだけ過去の回転角度情報までを常時記憶するようにしている。なお、画像取得回路２６は、記憶回路２８に対して所定時間ｔｏだけ、さかのぼったタイミングでの回転角度情報を出力させる回転角度情報出力要求の信号を送るようにしても良い。  
その他の構成は、図９の場合と同様である。
【００５０】
図１３は、本実施例の動作のタイミングチャートを示す。図１３に示すようにカプセル本体３Ｃは、ほぼ一定の周期で撮像を行い、撮像された画像は信号処理回路２０によりＡ／Ｄ変換された後、圧縮される。そして、カプセル制御回路２３は、撮像のタイミングから所定時間ｔｏ経過すると、無線回路２２から送信させる。  
処理装置６Ｃは、無線回路２５を経て画像取得回路２６は、送信された画像データの先頭部分を検出すると、回転角度情報出力要求の信号を磁界制御回路２７に対して回転角度情報出力要求の信号を、この信号から所定時間ｔｏだけ、さかのぼったタイミングでの回転角度情報を出力させる回転角度情報出力要求の信号を送る。  
磁界制御回路２７は、この信号を受け取ったタイミングから所定時間ｔｏだけさかのぼった回転角度情報を記憶回路２８から読み出して出力する。この回転角度情報は回転角度取得回路３１に保持され、画像取得回路２６がカプセル本体３Ｃから送信される画像データの受信を終了した場合には、回転角度取得回路３１に保持された回転角度情報を参照して画像回転処理等を行い、回転補正された画像を表示装置７にて表示する。
【００５１】
一方、カプセル本体３Ｃ側は、画像データの無線送信が終了して、設定された時間が経過すると、次の撮像動作を開始することになる。  
このように動作する本実施例によれば、双方向の無線通信を行うことなく、カプセル本体３Ｃから処理装置６Ｃに画像データを無線送信する構成の場合においても、カプセル本体３Ｃ側での撮像のタイミングを精度良く検出して、対応する回転角度情報を得ることができ、精度良く回転補正ができる。  
また、カプセル本体３Ｃは、処理装置６Ｃ側がデータ解凍、画像回転処理等を行っている最中に次の撮像動作を行うことができるので、より短い時間間隔で撮像を行うことができる。  
また、本実施例の場合も、回転補正により、所定方向に揃った画像を表示できるので、観察しながら回転磁界により推進などを行う際の、操作性を向上することができる。
【００５２】
本実施例においては、撮像のタイミングから所定時間ｔｏ経過後に、圧縮された画像データを無線送信するようにしているが、圧縮により時間が変動する場合には、画像データに時間情報を付加することにより、圧縮後、直ちに送信するようにしても良い。  
カプセル制御回路２３は、撮像素子１４による撮像のタイミングから圧縮処理が終了して送信を開始するまでの時間の情報（時間情報）を、画像の先頭部分に付加して送信するように制御する。  
この場合、信号処理回路２０は、圧縮処理が終了すると、カプセル制御回路２３に終了信号を送り、カプセル制御回路２３は、撮像のタイミングからこの終了信号を受け取ったまでの経過時間を算出してその経過時間の時間情報を無線回路２２に送り、無線回路２２は、この時間情報を付加して画像データの送信を開始する。
【００５３】
そして、体外の処理装置６Ｃでは、受信した画像の先頭部分に付加された時間情報を読み取り、磁界制御回路２７に対して、回転角度情報出力要求の信号に、その時間情報を付加して送信する。  
磁界制御回路２７は、回転角度情報出力要求が入力されたタイミングからその時間情報の時間ｔだけさかのぼったタイミングでの回転角度情報を出力し、その回転角度情報は、回転角度取得回路３１により保持される。  
そして、画像取得回路２６は、その回転角度情報を用いて圧縮された画像の解凍処理、画像回転処理等を行う構成にする。
【００５４】
図１４は、この第１変形例における動作のタイミングチャ−トを示す。  
カプセル本体３Ｃは、カプセル制御回路２３の制御下で、例えば一定の周期で照明素子１５を発光させ、撮像素子１４により撮像させる。その撮像のタイミングにおいてカプセル制御回路２３は、タイマ２３ａを起動し、タイマ２３ａは時間の計測を開始する。  
撮像素子１４により撮像された撮像信号は、信号処理回路２０によりＡ／Ｄ変換され、さらに画像データの圧縮が行われ、画像された画像データはメモリ２１に格納される。
【００５５】
画像データの圧縮が終了して、無線回路２２から送信を行う際に、信号処理回路２０はカプセル制御回路２３にデータ圧縮が終了したことを知らせ、カプセル制御回路２３はタイマ２３ａにより、撮像の開始のタイミングからの時間ｔを求め、画像データの先頭に、この時間ｔの情報を付加して送信させる。  
画像取得回路２６は、画像データを受信した際の先頭部分に付加された時間ｔの情報を読み取り、磁界制御回路２７に対してこの時間ｔだけさかのぼった時刻の回転角度情報を出力させるようにする。  
そして、画像取得回路２６は、送信される画像データの取り込みを終了すると、圧縮された画像データの解凍、回転角度情報を参照した画像回転処理等を行い、回転補正した画像を表示装置７で表示する。  
一方、カプセル本体３Ｃ側では、カプセル制御回路２３は、前の撮像から所定の時間経過すると、次の撮像を開始する。
【００５６】
このように動作する本変形例によれば、撮像タイミングの時間情報を付加して送信する必要があるが、主に画像データの圧縮のためにその圧縮処理の終了までの時間が変動するような場合にも、その終了時に、直ちに画像データを無線送信することができるメリットがある。  
つまり、本変形例によれば、撮像した画像により画像圧縮の時間が変動した場合においても、確実に撮像のタイミングを検出でき、従って簡単な構成で画像を回転しない状態で精度良く表示できる。  
次に第２変形例を説明する。実施例３においては、カプセル本体３Ｃ側は、画像データを無線送信した後、処理装置６Ｃ側が圧縮された画像データの解凍処理等を行っている最中においても、次の撮像動作を開始するようにしていたが、処理装置６Ｃ側が圧縮された画像データの解凍処理等を行った後に、次の撮像動作を開始するようにしても良い。
【００５７】
図１５はこの場合の動作のタイミングチャートを示す。図１５では、図１３におけるカプセル本体３Ｃ内における撮像を行う撮像素子１４、Ａ／Ｄ変換して画像データの圧縮処理を行う信号処理回路２０、メモリ２１に格納された圧縮された画像データを無線で送信する無線回路２２に分けてその動作内容を示している。  
図１５は、図１３にも示したように、撮像のタイミングから所定時間ｔｏ経過後に、カプセル本体３Ｃの無線回路２２から画像データの無線送信を開始する。但し、図１５では簡単化のため撮像のタイミングは撮像開始のタイミングで示している。  
画像取得回路２６は、無線で送信される画像データを受信した際の先頭部分において、回転角度情報出力要求の信号を磁界制御回路２７を送り、この信号から所定時間ｔｏだけさかのぼった時刻の回転角度情報を出力させ、その回転角度情報を回転角度取得回路３１が保持する。
【００５８】
そして、さらに画像取得回路２６は、圧縮された画像データの解凍、回転角度情報を参照しての画像回転処理等を行った後、表示装置７に出力して、回転補正がされた画像が表示装置７で表示されるようにする。  
カプセル本体３Ｃ側では、表示装置７により画像の表示が行われるまでの所定時間が経過すると、次の撮像動作が開始することになる。  
次に第３変形例を説明する。本変形例は、第２変形例を変更し、さらに実施例３の場合よりも短い時間間隔で撮像及び撮像された画像の回転補正を行って順次表示することができるようにしてものである。  
本変形例は、画像取得回路２６を無線回路２５から画像データを取り込んでメモリなどに格納する画像データ格納部２６ａと、この画像データ格納部２６ａに格納された画像データに対して圧縮解凍処理、画像回転処理、補間処理を行う画像処理部２６ｂとに分けている。
【００５９】
そして、画像処理部２６ｂが圧縮解凍処理を行っている場合にも、画像データ格納部２６ａが次の画像データを受信（格納）する動作を並行して行えるようにして、撮像のフレームレートを向上できるようにしている。なお、画像データ格納部２６ａ及び画像処理部２６ｂの符号は図１６にて示している。  
図１６は、第３変形例の動作のタイミングチャートを示す。図１６では、図１５における画像取得回路２６を、無線回路２５から画像データを順次格納するメモリ等で構成される画像データ格納部２６ａと、この画像データ格納部２６ａに格納された画像データに対して圧縮解凍処理、画像回転処理、補間処理を行う画像処理部２６ｂとに分けて示している。  
図１６の場合には、カプセル本体３Ｃ側は、撮像素子１４での撮像が終了すると、引き続いて信号処理回路２０は、その画像をＡ／Ｄ変換して画像データの圧縮の処理を開始し、その圧縮の処理が終了する。
【００６０】
この場合、撮像のタイミングから所定時間ｔｉ経過すると、無線回路２２から圧縮された画像データを無線で送信する動作を開始すると共に、（カプセル制御回路２３の制御下で）撮像素子１４は次の撮像動作を開始する。  
画像データが無線送信されると、処理装置６Ｃの画像データ格納部２６ａは、受信した画像データの先頭部分において、回転角度情報出力要求の信号を磁界制御回路２７を送り、この信号から所定時間ｔｏだけさかのぼった時刻の回転角度情報を出力させ、その回転角度情報を回転角度取得回路３１が保持する。  
画像データ格納部２６ａは、画像データを全て受信（格納）すると、回転角度取得回路３１に対して保持している回転角度情報を画像処理部２６ｂに送るように信号を送り、引き続いて画像処理部２６ｂは、画像データ格納部２６ａに格納された画像データの圧縮解凍、回転角度情報を参照しての画像回転処理等を行い、回転補正した画像を表示装置７に出力して、表示装置７でその画像を表示させる。
【００６１】
また上記カプセル本体３Ｃでは、次の撮像動作に引き続いて信号処理回路２０でその画像をＡ／Ｄ変換して画像データの圧縮の処理を開始し、上記したように撮像のタイミングから所定時間ｔｉ経過すると、無線回路２２から圧縮された画像データを無線で送信する動作を開始すると共に、（カプセル制御回路２３の制御下で）撮像素子１４は、さらに次の撮像動作を開始するようになる。  
このように動作する本変形例によれば、実施例３の場合よりもさらに短い時間間隔で撮像及び撮像された画像に対して回転補正を行って、回転が停止された状態と等価な観察し易い画像を表示することができる。  
また、このシステムは、撮像時間とカプセル本体３Ｃ内部での処理時間の合計が、カプセル本体３Ｃから画像取得回路２６にデータを送信する時間よりも長い場合に、より適した動作を実施することができる。
【実施例４】
【００６２】
次に本発明の実施例４を図１７を参照して説明する。図１７は本発明の実施例４のカプセル型医療システム１Ｄの構成を示す。  
本実施例のカプセル型医療システム１Ｄは、例えば図２に示す実施例１のカプセル型医療システム１において、カプセル本体３内にさらに発振器４１及びこの発振器４１の出力信号で周囲に交流磁界を発生するコイル４２を設けたカプセル本体３Ｄにしている。  
また、カプセル本体３Ｄの外部には、前記コイル４２の交流磁界からカプセル本体３Ｄの長手方向の向き（方向）を検出すると共に、位置も検出する方向／位置検出装置４３と、カプセル本体３Ｂに内蔵されているマグネット１６の向き（方向）を検出する磁極センサ４４及びこの磁極センサ４４の出力からマグネットの向きを検出する（マグネット）方向検出装置４５とを設けている。
【００６３】
カプセル本体３Ｄ内には、図３（Ａ）で示したカプセル本体３において、例えば外装容器１１の後端付近の内部にコイル４２が所定の向き、具体的にはコイル４２がソレノイド状に巻回されたソレノイドの向きがカプセル本体３Ｄの長手方向の向きに設定された状態で収納されている。  
上記方向／位置検出装置４３は例えば交流磁界を検出する複数のセンスコイルを有し、各センスコイルで検出された信号からコイル４２の向きや位置を検出する。また、磁極センサ４４は、複数の磁極センサ４４で構成され、複数の磁極センサの出力信号からマグネット１６の磁極の向きを検出する。また、カプセル本体３Ｄ内に配置されるコイル４２とマグネット１６との配置状態により、カプセル本体３Ｄの長手方向における前側等の向きを検出することもできる。  
なお、コイル４２の代わりにアンテナを採用し、アンテナから放射される電波を方向／位置検出装置４３で受信し、カプセル本体３Ｄの長手方向の向き及び位置を検出するようにしても良い。
【００６４】
これら方向／位置検出装置４３及び方向検出装置４５による検出された情報は、処理装置６Ｄの磁界制御回路２７に入力される。  
この処理装置６Ｄの構成は、図２の処理装置６と同じ構成であるが、磁界制御回路２７の動作が一部異なる。  
この磁界制御回路２７は、操作入力装置８が操作された場合、記憶回路２８に記憶された情報と、方向／位置検出装置４３及び方向検出装置４５により検出された情報により、回転磁界を発生したり、発生する回転磁界の向き等を適切な範囲内に収まるように制御する動作を行う。  
具体的に説明すると、操作入力装置８が操作されて、例えば回転磁界の方向が変更される場合、磁界制御回路２７は、方向／位置検出装置４３及び方向検出装置４５により検出された情報と、現在のカプセル本体３Ｄのマグネット１６の方向及び回転磁界の方向から、現在のカプセル本体３Ｄの方向と回転磁界の方向が適切な範囲内に有るかを判定する。  そして、適切な範囲内の場合にはその操作入力に従って回転磁界の方向を変更し、適切な範囲から逸脱する場合には、その操作入力を時間的に抑制して（つまり、変化率を時間的に押さえることにより）適切な範囲内に収まるように抑制する。
【００６５】
このようにすることにより、操作入力装置８の操作入力に対して、回転磁界の方向や周波数変化等をカプセル本体３Ｄ側での応答を考慮して適切な範囲内に押さえることにより、カプセル本体３Ｄの回転による推進動作等を円滑に制御することができる。  
なお、カプセル本体３Ｄを回転磁界によって回転させるため、慣性や摩擦等によって回転追従遅れが発生することも想定できる。特に回転速度が速い場合に、その遅れが大きくなることが予想できる。  
この場合、この遅れ量を経験値又は計算値として求め、画像回転処理時に加味しても良い。この場合には、より精度良く回転補正ができ、観察し易い画像が得られることになる。
【００６６】
その他の作用効果は、実施例１の場合と同様である。  
なお、本実施例は、図２の実施例１に適用した場合で説明したが、実施例１の変形例や実施例２或いは実施例３等に適用することもできることは明らかであり、その場合にも上述したように、操作入力装置８の操作入力を適切な範囲内に納めることにより、カプセル本体の推進動作等をより円滑に行えるようにできる。
【実施例５】
【００６７】
次に本発明の実施例５を図１８及び図１９を参照して説明する。図１８は本発明の実施例５の医療システム１Ｅの構成を示す。上述した実施例においては、回転磁界により、カプセル本体３等の回転速度等を変更可能にしていたが、本実施例においては、以下に説明するように回転磁界を用いないで回転駆動手段により回転駆動する構成にしている。  
図１８に示すようにこの医療システム１Ｅは、カプセル形状部５１をフレキシブルチューブ５２の先端に設けた医療装置本体３Ｅと、この医療装置本体３Ｅを回転駆動するモータ５３と、このモータ５３の回転速度の変更等を行う操作入力装置５４と、操作入力装置５４からの操作入力に応じてモータ５３の回転の制御及び医療装置本体３Ｅに内蔵された撮像素子１４の撮像信号に対する信号処理を行う処理装置６Ｅと、撮像素子１４により撮像された画像を表示する表示装置７とを備えている。
【００６８】
図１９（Ａ）の側面図及び図１９（Ｂ）の正面図に示す医療装置本体３Ｅは、図３に示したカプセル本体３と殆ど同じようにカプセル形状の外装容器１１を有するカプセル形状部５１の後端に、細長のフレキシブルチューブ５２の先端を連結している。この場合、カプセル形状部５１の中心軸Ｃに沿うように、フレキシブルチューブ５２の先端が取り付けてある。  
上述した実施例１から４まででは、医療装置本体としてカプセル本体３のみが体腔内に挿入されていたが、本実施例ではカプセル形状部５１と、これに連結された可撓性の細長部材としてのフレキシブルチューブ５２とが体腔内に挿入される挿入部を形成している。  この医療装置本体３Ｅの正面図は、図１９（Ｂ）に示すように、図３（Ｂ）と殆ど同じ形状となる。但し、本実施例においては、回転磁界を利用しないで、モータ５３により回転させる構造にしているので、このカプセル形状部５１内には、マグネット１６が設けてない。
【００６９】
また、本実施例においては、フレキシブルチューブ５２の外周面には、カプセル形状部５１の外周面に設けた螺旋状突起１２と同じピッチの螺旋状突起５５が設けてあり、両螺旋状突起１２、５５により螺旋状突起１２のみの場合よりも大きな推力発生構造部として機能するようにしている。  
このカプセル形状部５１の内部には、図１８に示すように照明素子、撮像素子１４等が収納されている。このカプセル形状部５１には、図２のカプセル本体３におけるマグネット１６及び無線回路２２を除いたものが内蔵されている。なお、電池２４も内蔵しているが、外部の処理装置６Ｅから電源を供給する構成にしても良い。  
また、カプセル形状部５１に内蔵されたメモリ２１及びカプセル制御回路２３は、フレキシブルチューブ５２内に挿通された信号線５６の一端と接続され、その他端は、フレキシブルチューブ５２の後端（基端）のコネクタ５７の外周面に設けた接点と接続される。  このコネクタ５７の接点は、モータ５３の回転軸と接続され、この回転軸の外側には、コネクタ５７をロータ側としたスリップリング５８が形成されており、このスリップリング５８の内周面に設けたステータ側接点に接続された信号線は、処理装置６Ｅの画像取得回路２６と接続される。
【００７０】
この画像取得回路２６は、実施例１の場合と同様にカプセル制御回路２３に撮像要求の信号を送ると共に、撮像素子１４により撮像され、信号処理回路２０により信号処理された画像データが入力される。  
実施例１においては、無線回路２２等を経て無線で信号を送受信していたが、本実施例においては、信号線５６を介して信号の送受信を行う。  
また、この処理装置６Ｅは、図２における処理装置６において、磁界制御回路２７の代わりにモータ５３の回転速度を制御するモータ制御回路５９が設けてあり、このモータ制御回路５９は、操作入力装置５４による操作入力に応じてモータ５３の回転速度を変更する制御を行う。  
なお、操作入力装置５４は、実施例１の場合と同様に速度入力装置８ｂと、機能ボタン８ｃとが設けてあり、方向入力装置８ａは有しない構成である。
【００７１】
その他の構成は、実施例１と同様である。  
実施例１においては、処理装置６は、撮像タイミングを検出した場合、磁界制御回路２７により回転磁界の回転角度情報を取得して、カプセル本体３から取り込まれる画像データに対して、画像を回転せる画像回転処理を行って所定の回転角の方向の画像にする処理を行っていたが、本実施例においては、処理装置６Ｅは、撮像タイミングを検出した場合、モータ制御回路５９によりモータ５３の回転角度情報を取得して、カプセル形状部５１から取り込まれる画像データに対して、画像を回転させる画像回転処理を行って所定の回転角の方向の画像にする処理を行う。
【００７２】
本実施例による回転補正の動作に関しては、実施例１における図７のタイミングチャートにおいて、磁界制御回路２７をモータ制御回路５９に読み替えた動作と殆ど一致する。  本実施例においても、実施例１の場合と同様にカプセル形状部５１が回転駆動された場合においても、所定の方向の回転角の状態で画像を表示することができる。  
図２０は、変形例の医療システム１Ｆの構成を示す。この医療システム１Ｆは、図１８の医療システム１Ｆにおいて、カプセル形状部５１における信号処理回路２０及びメモリ２１を有しない構造のカプセル形状部５１Ｂを採用した医療装置本体３Ｆにしている。    つまり、本変形例は、撮像素子１４により撮像した画像を信号線５６を介して画像取得回路２６が取得する構成にしている。その他の構成は、図１８の場合と同様である。
【００７３】
本変形例によれば、実施例５の場合よりも低コストで、実施例５の場合と殆ど同様の作用効果が得られる。
【００７４】
なお、本変形例では、撮像要求の信号を画像取得回路２６からカプセル制御回路２３に送信する構成にしているが、カプセル形状部５１が所定のタイミング等で撮像を行い、その際にカプセル制御回路２３から画像取得回路２６或いは撮像タイミング検出回路３０に撮像タイミングを検出するための信号を送るようにしても良い。  
なお、上述した実施例等を部分的に組み合わせる等して構成される実施例等も本発明に属する。
【００７５】
［付記］
（請求項１の効果）
撮像を行うタイミングを検出するタイミング検出装置を有し、タイミング検出装置の出力を受け前記医療装置用回転装置の回転角の情報を取得する回転角取得装置を設け、撮像した時の回転角の情報を取得する。これに基づき、前記撮像装置で撮像した画像を回転させる。これにより、画像の回転を正確に行うことできる。また、簡単な構成で、撮像装置の回転を意識させない画像を得ることができる。  
（請求項２の効果）
撮像を行うタイミングを検出するタイミング検出装置を有し、このタイミング検出装置の出力を受けて前記磁界発生装置で発生した回転磁界の回転角の情報を取得する回転角取得装置を設け、撮像した時の回転角の情報を取得する。これに基づき、前記撮像装置で撮像した画像を所定の回転角となるように回転させる。これにより、画像の回転を正確に行うことできる。また、簡単な構成で、撮像装置の回転を意識させない画像を得ることができる。
【００７６】
（請求項３の効果）
体外に配置された装置側から医療装置本体側に撮像要求をする医療システムにおいて、請求項１と同様の効果を得ることができる。  
（請求項４の効果）
医療装置本体側の撮像コントロールにより画像データが画像取得装置に送られてくる医療システムにおいても請求項１と同様の効果を得ることができる。  
１．前記医療装置本体が、体内無線通信装置を有するカプセル内視鏡であり、前記画像取得装置が体外無線通信装置を有し、前記体内無線通信装置と前記体外無線装置間で無線通信することを特徴とする請求項２の医療システム。  
（請求項５の効果）
請求項１〜４の医療システムにおいて、医療装置本体の回転を意識させない表示を実現することができる。
【００７７】
（付記１の効果）
請求項２と同様の効果をカプセル内視鏡においても得ることができる。
【００７８】
２．前記画像取得装置が、前記撮像装置に撮像要求信号を送信すると共に、前記撮像タイミング検出装置へ撮像タイミング信号を送信し、前記撮像タイミング検出装置は、前記回転角取得装置に回転角取得要求信号を送信し、前記撮像装置が撮像要求信号を受け撮像を行い、前記回転角取得装置が回転角取得要求信号を受け回転角の情報を取得することで、前記撮像装置が撮像を行ったときの前記回転磁界の回転角の情報を取得することを特徴とする請求項２、付記１の医療システム。  
（付記２の効果）
体外に配置された装置側から医療装置本体側に撮像要求をする医療システムにおいて、請求項２，付記１と同様の効果を得ることができる。  
３．前記回転角取得装置が、回転角取得要求信号を受けてから、前記撮像要求信号発生から前記撮像装置が撮像を行うまでの遅れ時間だけ後の前記回転磁界の回転角の情報を取得することを特徴とする付記２の医療システム。  
（付記３の効果）
体外に配置された装置側から医療装置本体側に撮像要求をする医療システムにおいて、通信速度が遅く遅延時間が発生するようなシステムにおいても付記２と同様の効果を得ることができる。  
特に医療装置本体がカプセル内視鏡を構成している場合において有効に作用する。
【００７９】
４．前記撮像装置で撮像された画像データを圧縮処理を行うデータ圧縮装置を前記医療装置本体に設け、前記データ圧縮装置で圧縮された圧縮データを前記画像取得装置に送信し、前記圧縮データを解凍処理するデータ解凍装置を体外に設けたことを特徴とする付記２、付記３の医療システム。  
（付記４の効果）
画像により圧縮処理時間・データ送信時間が異なってしまう、データを圧縮する装置を有する場合においても付記２、付記３と同様の効果を得ることができる。  
５．前記医療装置本体に、撮像タイミングコントローラを有し、
前記撮像装置は前記撮像タイミングコントローラの信号を受け、撮像を行うと共に、
前記画像取得装置に画像データを送信し、前記撮像タイミング検出装置は、前記画像データの送信開始を検出することを特徴とする請求項２、付記１の医療システム。  
（付記５の効果）
医療装置本体側の撮像コントロールにより画像データが画像取得装置に送られてくる医療システムにおいても、付記１、付記２と同様の効果を得ることができる。
【００８０】
６．過去の前記回転磁界の回転角を記憶する記憶装置を有し、
前記回転角取得装置が、前記撮像タイミング検出装置が撮像タイミング信号を受信してから、前記撮像装置が撮像を行ってから前記画像取得装置に画像データを送信するまでの時間分早い前記回転磁界の回転角を前記記憶装置から取得することを特徴とする付記５の医療システム。  
（付記６の効果）
医療装置本体側で画像を取得してから、体外に配置されたタイミング検出装置に撮像タイミング信号が遅延して届く医療システムにおいても、付記５と同様の効果を得ることができる。特に医療装置本体がカプセル内視鏡で、無線通信により画像データを送信するような通信に遅延時間が発生するような医療システムにおいても付記５と同様の効果を得ることができる。
【００８１】
７．前記磁界制御装置に接続された操作者が操作する磁界操作手段を有し、前記磁界操作手段を操作することで、前記医療装置本体を体腔内で任意の方向に位置誘導制御することを特徴とする請求項２、付記１から付記６のいずれかに記載の医療システム。  
（付記７の効果）
請求項２、付記１〜付記６の効果に加え、操作者が磁界発生装置を操作して医療装置本体の向き、位置を制御できるので効率の良い観察を行うことができる。
【００８２】
８．前記医療装置本体が、体内無線通信装置を有するカプセル内視鏡であり、前記画像取得装置が体外無線通信装置を有し、前記体内無線通信装置と前記体外無線装置間で無線通信することを特徴とする請求項１の医療システム。  
（付記８の効果）
請求項１と同様の効果をカプセル内視鏡においても得ることができる。  
９．前記回転角取得装置が、回転角取得要求信号を受けてから、前記撮像要求信号発生から前記撮像装置が撮像を行うまでの遅れ時間だけ後の前記医療装置用回転装置の回転角の情報することを特徴とする請求項３の医療システム。  
（付記９の効果）
体外に配置された装置側から医療装置側に撮像要求をする医療システムにおいて、通信速度が遅く遅延時間が発生するようなシステムにおいても付記３と同様の効果を得ることができる。特に医療装置がカプセル内視鏡を構成している場合において有効に作用する。１０．前記撮像装置で撮像された画像データを圧縮処理を行うデータ圧縮装置を前記医療装置本体に設け、前記データ圧縮装置で圧縮された圧縮データを前記画像取得装置に送信し、前記圧縮データを解凍処理するデータ解凍装置を体外に設けたことを特徴とする請求項３、付記１２の医療装置システム。  
（付記１０の効果）
画像により圧縮処理時間・データ送信時間が異なってしまう、データを圧縮する装置を有する場合においても請求項３、付記９と同様の効果を得ることができる。
【００８３】
１１．過去の前記医療装置用回転装置の回転角を記憶する記憶装置を有し、
前記回転角取得装置が、前記撮像タイミング検出装置が撮像タイミング信号を受信してから、前記撮像装置が撮像を行ってから前記画像取得装置に画像データを送信するまでの時間分早い前記医療装置用回転装置の回転角を前記記憶装置から取得することを特徴とする請求項４の医療システム。  
（付記１１の効果）
医療装置側で画像を取得してから、体外に配置されたタイミング検出装置に撮像タイミング信号が遅延して届くシステムにおいても、請求項４と同様の効果を得ることができる。  
特に、医療装置がカプセル内視鏡で、無線通信により画像データを送信するような通信に遅延時間が発生するようなシステムにおいても付記８と同様の効果を得ることができる。  
１２．前記医療装置本体は、医療装置用回転装置を構成するモータにより回転される。
【００８４】
１３．前記撮像タイミングコントローラは、送信する前記画像データに撮像タイミングの情報を付加することを特徴とする請求項４の医療システム。  
（付記１３の効果）
撮像タイミングの情報を付加するので、送信する周期を一定にしなくても、確実に撮像タイミングを検出でき、精度の良い回転補正ができ、観察し易い画像を得ることができる。  
１４．前記医療装置用回転装置の回転角の情報を時間と関連付けて記憶する記憶装置を有することを特徴とする請求項１の医療システム。  
（付記１４の効果）
撮像タイミングを検出した時刻が実際の撮像タイミングよりも後の場合においても、精度良く撮像タイミングにおける回転角の情報を取得できる。
【産業上の利用可能性】
【００８５】
医療装置本体を体腔内で効率良く推進させるための回転運動に伴って、撮像される画像の向きも変化してしまうことを、撮像のタイミングを検出し、そのタイミングにおける回転角の情報を用いて画像の回転補正を行うことにより、所定方向に揃った画像を表示でき、観察や誘導がし易くなる。
【図面の簡単な説明】
【００８６】
【図１】本発明の実施例１のカプセル型医療システムの全体構成図。
【図２】本発明の実施例１のカプセル型医療システムの各部の内部構成を示すブロック図。
【図３】カプセル本体の側面及び正面図。
【図４】操作入力装置の概略の構成及び変形例等を示す図。
【図５】回転磁界の法線ベクトルを示す座標系と、ジョイスティックを傾動操作した場合のカプセル本体の推進方向等を示す図。
【図６】変形例におけるスティックとその傾動操作によるカプセル本体の推進方向を示す図。
【図７】本実施例の動作を示すタイミングチャート図。
【図８】本実施例の動作を示すフローチャート図。
【図９】変形例の動作を示すタイミングチャート図。
【図１０】本発明の実施例２のカプセル型医療システムの各部の内部構成を示すブロック図。
【図１１】本実施例の動作を示すタイミングチャート図。
【図１２】本発明の実施例３のカプセル型医療システムの各部の内部構成を示すブロック図。
【図１３】本実施例の動作を示すタイミングチャート図。
【図１４】第１変形例の動作を示すタイミングチャート図。
【図１５】第２変形例の動作を示すタイミングチャート図。
【図１６】第３変形例の動作を示すタイミングチャート図。
【図１７】本発明の実施例４のカプセル型医療システムの各部の内部構成を示すブロック図。
【図１８】本発明の実施例５のカプセル型医療システムの各部の内部構成を示すブロック図。
【図１９】医療装置本体の側面及び正面を示す図。
【図２０】変形例のカプセル型医療システムの各部の内部構成を示すブロック図。
【符号の説明】
【００８７】
１…カプセル型医療システム
３…カプセル本体
４…回転磁界発生装置
５…磁界発生制御装置
６…処理装置
７…表示装置
８…操作入力装置
８ａ…方向入力装置
８ｂ…速度入力装置
８ｃ…機能ボタン
９…磁界発生装置
１１…外装容器
１１ａ…先端カバー
１２…螺旋状突起
１４…撮像素子
１５…照明素子
１６…マグネット
２０…信号処理回路
２２、２５…無線回路
２６…画像取得回路
２７…磁界制御回路
２８…記憶回路
２９…設定回路
３０…撮像タイミング検出回路
３１…回転角度取得回路
３３…交流電流発生＆制御部
３４…ドライバ部
３５ａ〜３５ｃ…電磁石
代理人    弁理士    伊藤  進
【図１】
2006149668.tif 000003
【図２】
2006149668.tif 000004
【図３】
2006149668.tif 000005
【図４】
2006149668.tif 000006
【図５】
2006149668.tif 000007
【図６】
2006149668.tif 000008
【図７】
2006149668.tif 000009
【図８】
2006149668.tif 000010
【図９】
2006149668.tif 000011
【図１０】
2006149668.tif 000012
【図１１】
2006149668.tif 000013
【図１２】
2006149668.tif 000014
【図１３】
2006149668.tif 000015
【図１４】
2006149668.tif 000016
【図１５】
2006149668.tif 000017
【図１６】
2006149668.tif 000018
【図１７】
2006149668.tif 000019
【図１８】
2006149668.tif 000020
【図１９】
2006149668.tif 000021
【図２０】
2006149668.tif 000022